(57)【要約】【課題】バルーンやゴムバンドなどの筒状部材を内視鏡などの医療器具に簡単且つ迅速に装着することのできる筒状部材の装着装置を提供する。【解決手段】装着装置１００は、内視鏡１０の挿入部１２を挿通可能な挿通孔１０２Ａが形成された本体１０２と、挿通孔１０２Ａを中心として本体１０２に回動自在に支持されたリング１０４と、挿通孔１０２Ａに平行に設けられた複数のロッド１０６と、リング１０４が回動操作された際に複数のロッド１０６の間隔が拡縮するように、複数のロッド１０６とリング１０４とを連結するクランク機構１０８と、を備える。複数のロッド１０６の間隔を狭めた状態で複数のロッド１０６をバルーン６０の端部６０Ｂに挿入し、複数のロッド１０６の間隔を拡げることによってバルーン６０の端部６０Ｂが拡径される。【選択図】  図３
2009183603.tif 000002
【特許請求の範囲】
【請求項１】
内視鏡などの医療器具を弾性変形可能な筒状部材に挿入することによって、該筒状部材を前記医療器具に装着する装着装置において、
前記医療器具を挿通可能な挿通孔が形成された本体と、
前記挿通孔を中心として前記本体に回動自在に支持されたリングと、
前記挿通孔に平行に設けられた複数のロッドと、
前記リングが回動操作された際に前記複数のロッドの間隔が拡縮するように、前記複数のロッドと前記リングとを連結するクランク機構と、を備え、
前記複数のロッドの間隔を狭めた状態で該複数のロッドを前記筒状部材に挿入し、該複数のロッドの間隔を拡げることによって前記筒状部材が拡径されることを特徴とする筒状部材の装着装置。
【請求項２】
前記複数のロッドの間隔が拡がった状態で、前記本体と前記リングとをロックするロック手段を備えたことを特徴とする請求項１に記載の筒状部材の装着装置。
【請求項３】
前記本体に対して前記ロッドの軸方向に移動自在に支持され、該ロッドによって拡径された前記筒状部材を前記本体から離れる方向に押し出す押出部材と、
前記押出部材を前記ロッドの軸方向に移動させる操作部材と、を備えたことを特徴とする請求項１又は２に記載の筒状部材の装着装置。
【請求項４】
前記複数のロッドは前記挿通孔に挿通され、その両端が前記本体の両側に突出されることを特徴とする請求項１〜３のいずれか１に記載の筒状部材の装着装置。
【請求項５】
内視鏡などの医療器具を筒状部材に挿入することによって、該筒状部材を前記医療器具に装着する装着装置において、
前記医療器具を挿通可能な挿通孔が形成された本体と、
前記挿通孔に挿通され、前記本体の両側にその端部が突出した複数のロッドと、
前記複数のロッドの間隔が拡縮するように前記複数のロッドを移動させるロッド移動機構と、を備え、
前記複数のロッドの端部を、前記本体の両側でそれぞれ異なる筒状部材に挿入することによって、該複数の筒状部材を同時に拡径させることを特徴とする筒状部材の装着装置。
【発明の詳細な説明】
【技術分野】
【０００１】
本発明は筒状部材の装着装置に係り、特に内視鏡などの医療器具にゴムバルーンやゴムリングなどの筒状部材を装着する装置に関する。
【背景技術】
【０００２】
内視鏡装置では、膨張・収縮するバルーンが様々な用途で用いられている。例えば、小腸や大腸等の深部消化管を観察する内視鏡装置では、内視鏡挿入部や内視鏡挿入補助具（スライディングチューブまたはオーバーチューブ等）に膨縮自在なバルーンが装着され、このバルーンを膨張させることによって内視鏡挿入部や挿入補助具を体内に固定できるようになっている。また、超音波検査装置では、超音波プローブの先端の超音波走査部を囲繞して超音波伝達媒体を充填するために膨縮自在なバルーンが用いられ、超音波内視鏡では、挿入部の先端の超音波トランスデューサを囲繞して超音波伝達媒体を充填するために膨縮自在なバルーンが用いられる。
【０００３】
このようなバルーンは、ゴム等の弾性体によって構成されており、その端部は、自然状態で取付対象物（内視鏡挿入部や挿入補助具など）の外径よりも小径の筒状に形成されている。バルーンを装着する際は、バルーンの端部を拡径しながら取付対象物に被せる。そして、ゴムバンドを拡径させてバルーンの端部に外嵌させることによって、バルーンの端部が取付対象物に固定される。
【０００４】
ところで、バルーンの端部やゴムバンドを拡径しながら取付対象物に被せる作業は非常に煩わしく、取付作業に手間がかかるという問題がある。そこで、特許文献１では、バルーンを筒体の内周面に吸着して拡径させ、挿入部や挿入補助具を挿入している。この方法によれば、筒体の内周面にバルーンを吸着することによってバルーンの内径を拡げることができるので、挿入部や挿入補助具を簡単に挿通させることができる。また、特許文献２では、治具のガイド部を拡縮径自在に構成し、このガイド部をバルーンの端部に挿入した後、ガイド部に挿入部や挿入補助具を挿入している。この方法によれば、ガイド部に挿入部や挿入補助具を挿入することによって、ガイド部がバルーン端部を拡径するので、挿入部や挿入補助具を容易に挿入することができる。
【特許文献１】特開平５−１５４８７号公報
【特許文献２】特開２００５−１９３０００号公報
【発明の開示】
【発明が解決しようとする課題】
【０００５】
しかしながら、特許文献１は、専用の吸引ポンプ装置を用意しなければならないという問題があり、特許文献２は、治具のガイド部を折り畳んで細径化した後にバルーン端部に挿入する必要があり、作業性の改善が求められていた。
【０００６】
本発明はこのような事情に鑑みてなされたもので、バルーンやゴムバンドなどの筒状部材を内視鏡などの医療器具に簡単且つ迅速に装着することのできる筒状部材の装着装置を提供することを目的とする。
【課題を解決するための手段】
【０００７】
請求項１に記載の発明は前記目的を達成するために、内視鏡などの医療器具を弾性変形可能な筒状部材に挿入することによって、該筒状部材を前記医療器具に装着する装着装置において、前記医療器具を挿通可能な挿通孔が形成された本体と、前記挿通孔を中心として前記本体に回動自在に支持されたリングと、前記挿通孔に平行に設けられた複数のロッドと、前記リングが回動操作された際に前記複数のロッドの間隔が拡縮するように、前記複数のロッドと前記リングとを連結するクランク機構と、を備え、前記複数のロッドの間隔を狭めた状態で該複数のロッドを前記筒状部材に挿入し、該複数のロッドの間隔を拡げることによって前記筒状部材が拡径されることを特徴とする。
【０００８】
請求項１の発明によれば、複数のロッドを筒状部材に挿入し、リングを回転させるだけで、筒状部材を拡径することができる。そして、その状態で本体の挿通孔に医療器具を挿入することによって、筒状部材に医療器具を容易に挿入することができる。これにより、筒状部材を医療器具に迅速且つ容易に装着することができる。
【０００９】
請求項２に記載の発明は請求項１の発明において、前記複数のロッドの間隔が拡がった状態で、前記本体と前記リングとをロックするロック手段を備えたことを特徴とする。本発明によれば、ロッドの間隔が拡がった状態で本体とリングを固定するので、筒状部材を拡径した状態に保持することができ、筒状部材に医療器具を挿入する作業を容易に行うことができる。
【００１０】
請求項３に記載の発明は請求項１又は２の発明において、前記本体に対して前記ロッドの軸方向に移動自在に支持され、該ロッドによって拡径された前記筒状部材を前記本体から離れる方向に押し出す押出部材と、前記押出部材を前記ロッドの軸方向に移動させる操作部材と、を備えたことを特徴とする。本発明によれば、押出部材と操作部材によって、筒状部材をロッドの端から押し出すことができ、筒状部材を医療器具に簡単に装着することができる。
【００１１】
請求項４に記載の発明は請求項１〜３のいずれか１の発明において、前記複数のロッドは前記挿通孔に挿通され、その両端が前記本体の両側に突出されることを特徴とする。本発明によれば、本体の両側に複数のロッドの両端が突出されるので、ロッドの両端にそれぞれ異なる筒状部材を被せることができる。これにより、複数の筒状部材を同時に拡径することができ、たとえば複数のロッドの一方の端部でバルーン端部を拡径しながら、他方の端部でゴムリングを拡径することができ、バルーンとゴムリングとを一回の操作で連続して医療器具に装着することができる。
【００１２】
請求項５に記載の発明は前記目的を達成するために、内視鏡などの医療器具を筒状部材に挿入することによって、該筒状部材を前記医療器具に装着する装着装置において、前記医療器具を挿通可能な挿通孔が形成された本体と、前記挿通孔に挿通され、前記本体の両側にその端部が突出した複数のロッドと、前記複数のロッドの間隔が拡縮するように前記複数のロッドを移動させるロッド移動機構と、を備え、前記複数のロッドの端部を、前記本体の両側でそれぞれ異なる筒状部材に挿入することによって、該複数の筒状部材を同時に拡径させることを特徴とする。
【００１３】
本発明によれば、ロッドの端部を本体の両側でそれぞれ異なる筒状部材に挿入することによって、複数の筒状部材を同時に拡径することができる。たとえば本体の一方側でバルーン端部を拡径しながら、本体の他方側でゴムリングを拡径することができる。
【発明の効果】
【００１４】
本発明によれば、リングを回転させることによって複数のロッドの間隔が拡縮するように構成したので、複数のロッドを筒状部材に挿入し、リングを本体に対して回転させるだけで、筒状部材を拡径することができ、筒状部材に医療器具を容易に装着することができる。
【発明を実施するための最良の形態】
【００１５】
以下添付図面に従って本発明に係る筒状部材の装着装置の好ましい実施の形態について詳述する。まず、筒状部材として、バルーン及びゴムリングを内視鏡の挿入部に装着する例で説明する。
【００１６】
図１はバルーン及びゴムリングを用いた内視鏡装置の一例を示すシステム構成図である。同図に示すように内視鏡装置は主として、内視鏡１０、バルーン６０及びバルーン制御装置７０で構成される。
【００１７】
内視鏡１０は、手元操作部１４と、この手元操作部１４に連設され、体内に挿入される挿入部１２とを備える。手元操作部１４には、ユニバーサルケーブル１６が接続され、このユニバーサルケーブル１６の先端にＬＧコネクタ１８が設けられる。ＬＧコネクタ１８は光源装置２０に着脱自在に連結され、これによって挿入部１２の先端に設けた照明光学系５４（図２参照）に照明光が送られる。また、ＬＧコネクタ１８には、ケーブル２２を介して電気コネクタ２４が接続され、この電気コネクタ２４がプロセッサ２６に着脱自在に連結される。
【００１８】
手元操作部１４には、送気・送水ボタン２８、吸引ボタン３０、シャッターボタン３２、及び機能切替ボタン３４が並設されるとともに、一対のアングルノブ３６、３６が設けられる。
【００１９】
挿入部１２は、手元操作部１４側から順に軟性部４０、湾曲部４２、及び先端部４４で構成される。軟性部４０は、螺旋状に巻回された金属板の外周にネットを被せ、その外周を被覆することにより構成されており、十分な可撓性を有している。
【００２０】
湾曲部４２は、手元操作部１４のアングルノブ３６、３６を回動することによって遠隔的に湾曲するように構成される。たとえば、湾曲部４２は、円筒状の複数の節輪をピンによって回動自在に連結するとともに、その節輪の内部に複数本の操作ワイヤを挿通させて前記ピンにガイドさせ、操作ワイヤを押し引き操作することによって、節輪同士が回動して湾曲部４２が湾曲操作されるようになっている。この湾曲部４２を湾曲操作することによって、先端部４４を所望の方向に向けることができる。
【００２１】
図２に示すように、先端部４４の先端面４５には、観察光学系５２、照明光学系５４、５４、送気・送水ノズル５６、鉗子口５８が設けられる。観察光学系５２の後方にはＣＣＤ（不図示）が配設され、このＣＣＤを支持する基板に信号ケーブル（不図示）が接続される。信号ケーブルは挿入部１２、手元操作部１４、ユニバーサルケーブル１６等に挿通されて電気コネクタ２４まで延設され、プロセッサ２６に接続される。よって、観察光学系５２で取り込まれた観察像がＣＣＤの受光面に結像されて電気信号に変換され、この電気信号が信号ケーブルを介してプロセッサ２６に出力され、映像信号に変換される。これにより、プロセッサ２６に接続されたモニタ５０に観察画像が表示される。
【００２２】
照明光学系５４は、その後方にライトガイド（不図示）の出射端が配設される。ライトガイドは挿入部１２、手元操作部１４、ユニバーサルケーブル１６に挿通されてＬＧコネクタ１８内にその入射端が配設される。したがって、ＬＧコネクタ１８を光源装置２０に連結することによって、光源装置２０から照射された照明光がライトガイドを介して照明光学系５４に伝送され、照明光学系５４から前方に照射される。
【００２３】
図２の送気・送水ノズル５６は、図１の送気・送水ボタン２８によって操作されるバルブ（不図示）に連通され、このバルブがＬＧコネクタ１８に設けた送気・送水コネクタ４８に連通される。送気・送水コネクタ４８には不図示の送気・送水手段が接続され、エア及び水が供給される。したがって、送気・送水ボタン２８を操作することによって、送気・送水ノズル５６からエア又は水が観察光学系に向けて噴射される。
【００２４】
図２の鉗子口５８は、図１の鉗子挿入部４６に連通される。よって、鉗子挿入部４６から鉗子等の処置具を挿入することによって、処置具を鉗子口５８から導出することができる。また、鉗子口５８は、吸引ボタン３０によって操作されるバルブ（不図示）に連通され、このバルブがＬＧコネクタ１８の吸引コネクタ４９に接続される。したがって、吸引コネクタ４９に不図示の吸引手段を接続し、吸引ボタン３０で操作することによって、鉗子口５８から病変部等を吸引することができる。
【００２５】
上記の如く構成された挿入部１２には、バルーン６０が着脱自在に装着される。バルーン６０は、シリコンゴム等の弾性材料から成り、両端部が絞られた略筒状、すなわち小径の端部６０Ａ、６０Ｂと膨出された中央部６０Ｃとから成る筒状に形成される。このバルーン６０は、挿入部１２を挿通させることによって、所定の装着位置に（たとえば先端部４４から湾曲部４２にかけて）配置される。所定の装着位置に配置されたバルーン６０は、その端部６０Ａ、６０Ｂをゴムリング６１、６２で固定することによって、挿入部１２に固定される。バルーン６０及びゴムリング６１、６２は、後述の装着装置１００によって拡径され、挿入部１２（医療器具に相当）に装着される。
【００２６】
挿入部１２のバルーン装着位置には、供給・吸引口６４が形成されており、この供給・吸引口６４がチューブ（不図示）を介して、手元操作部１４のバルーン送気口３８に連通される。バルーン送気口３８には、図１のチューブ８０が接続され、このチューブ８０を介してバルーン制御装置７０が接続される。バルーン制御装置７０は、バルーン６０にエア等の流体を供給・吸引する装置であり、このバルーン制御装置７０から、流体（たとえばエア）を供給、吸引することによって、バルーン６０にエアを供給、吸引することができる。バルーン６０はエアを供給することによって略球状に膨張し、エアを吸引することによって挿入部１２の外表面に張り付くようになっている。
【００２７】
バルーン制御装置７０は主として、装置本体７２と、リモートコントロール用のハンドスイッチ７４で構成される。装置本体７２の前面には、電源スイッチＳＷ１、停止スイッチＳＷ２、圧力表示部７６が設けられる。圧力表示部７６はバルーン６０の圧力値を表示するパネルであり、バルーン破れ等の異常発生時にはこの圧力表示部７６にエラーコードが表示される。
【００２８】
装置本体７２の前面には、バルーン６０へのエア供給・吸引を行うチューブ８０が接続される。チューブ８０と装置本体７２との接続部分にはバルーン６０が破れた時の体液の逆流を防止するための逆流防止ユニット８２が設けられる。逆流防止ユニット８２は、装置本体７２に着脱自在に装着された中空円盤状のケース（不図示）の内部に気液分離用のフィルタを組み込むことによって構成されており、装置本体７２内に液体が流入することをフィルタによって防止する。
【００２９】
一方、ハンドスイッチ７４には、各種のスイッチが設けられる。たとえば、装置本体７２側の停止スイッチＳＷ２と同様の停止スイッチや、バルーン６０の加圧／減圧を指示するＯＮ／ＯＦＦスイッチ、バルーン６０の圧力を保持するためのポーズスイッチなどが設けられる。このハンドスイッチ７４はコード８４を介して装置本体７２に電気的に接続されている。なお、図１には示してないが、ハンドスイッチ７４には、バルーン６０の送気状態、或いは排気状態を示す表示部が設けられている。
【００３０】
上記の如く構成されたバルーン制御装置７０は、バルーン６０にエアを供給して膨張させるとともに、そのエア圧を一定値に制御してバルーン６０を膨張した状態に保持する。また、バルーン６０からエアを吸引して収縮させるとともに、そのエア圧を一定値に制御してバルーン６０を収縮した状態に保持する。
【００３１】
バルーン制御装置７０は、バルーン専用モニタ８６に接続されており、バルーン６０を膨張、収縮させる際に、バルーン６０の圧力値や膨張・収縮状態をバルーン専用モニタ８６に表示する。なお、バルーン６０の圧力値や膨張・収縮状態は、内視鏡１０の観察画像にスーパーインポーズしてモニタ５０に表示するようにするようにしてもよい。
【００３２】
上記の如く構成された内視鏡装置の操作方法の一例としては、挿入部１２をプッシュ式で挿入していき、必要に応じてバルーン６０を膨張させて挿入部１２を体内（たとえば大腸）に固定する。そして、挿入部１２を引いて体内（たとえば大腸）の管形状を単純化した後、バルーン６０を収縮させて挿入部１２をさらに腸管の深部に挿入する。たとえば、挿入部１２を被検者の肛門から挿入し、挿入部１２の先端がＳ状結腸を過ぎた際にバルーン６０を膨張させて挿入部１２を腸管に固定し、挿入部１２を引いてＳ状結腸を略直線状にする。そして、バルーン６０を収縮させて、挿入部１２の先端を腸管の深部に挿入していく。これにより、挿入部１２を腸管の深部に挿入することができる。なお、上述した内視鏡１０を、バルーン付きの挿入補助具（不図示）とともに、ダブルバルーン式内視鏡装置として使用してもよい。
【００３３】
次に、本発明に係る筒状部材の装着装置（以下、単に装着装置という）について説明する。本発明に係る装着装置は、上述したバルーン６０、ゴムリング６１、６２を内視鏡１０の挿入部１２に装着するための装置である。バルーン６０の端部６０Ａ、６０Ｂやゴムリング６１、６２は、自然状態で（すなわち膨張、収縮させない状態で）その内径が挿入部１２の外径よりも小さくなっており、そのままでは挿入部１２を挿通させることができない。そこで、本発明に係る装着装置１００によってバルーン６０の端部６０Ａ、６０Ｂやゴムリング６１、６２を拡径させ、挿入部１２を挿入しやすくする。
【００３４】
図３は、装着装置１００を示す平面図であり、図４は図３の４−４線に沿う断面図である。図５は図３のカバーを取り外した状態を示しており、図６は図５のロッドの間隔を拡げた状態を示している。なお、図５、図６は、ロッド１０６の間隔を拡縮させる機構のみを示している。
【００３５】
図３、図４に示すように、装着装置１００は主として、本体１０２、リング１０４、ロッド１０６、クランク機構１０８、押出部材１１０、操作レバー１１２及びカバー１１４で構成される。これらの部材の材質は特に限定するものではないが、オートクレーブ滅菌することを考慮し、ステンレスを用いることが好ましい。
【００３６】
図５、図６に示すように、本体１０２は円筒状に形成されており、挿通孔１０２Ａが中心線Ｃに沿って形成されている。挿通孔１０２Ａの内径は、二点鎖線で示す挿入部１２の外径より大きく形成されており、挿入部１２を挿通孔１０２Ａに挿通できるようになっている。本体１０２の外周面には、把手１１６が径方向に取り付けられている。
【００３７】
本体１０２の上面（図５、図６に示す面）には、リング状の凸部１０２Ｂが挿通孔１０２Ａの周りに突出形成され、この凸部１０２Ｂの外側にＣ状の凸部１０２Ｃが突出形成される。これにより、凸部１０２Ｂ、１０２Ｃの間には略リング状の溝が形成され、この溝にリング１０４が配設される。リング１０４は、本体１０２に対して、挿通孔１０２Ａを中心として回動自在に支持される。
【００３８】
リング１０４には把手１１８が径方向に取り付けられる。把手１１８は、Ｃ状の凸部１０２Ｃがない部分に配置され、外部まで延出されている。この把手１１８を操作することによって、リング１０４は図５の状態と図６の状態との間で回動操作される。なお、図５の状態は、把手１１８が把手１１６から最も離れており、四本のロッド１０６はその間隔が最も狭まっている。また、図６の状態は、把手１１８が把手１１６に最も接近して位置が重なっており、四本のロッド１０６はその間隔が最も拡がっている。
【００３９】
把手１１６には、紐などで環状に形成されたロック部材１２０が取り付けられている。ロック部材１２０は、把手１１６と把手１１８が最も接近した場合にのみ、把手１１８にかけられるようになっている。したがって、ロック部材１２０を把手１１８にかけることによって、把手１１６と把手１１８とが最も接近した状態、すなわち、ロッド１０６同士の間隔が最も拡がった状態を保持することができる。
【００４０】
図４に示すように、ロッド１０６はそれぞれ、挿通孔１０２Ａに挿通され、中心線Ｃと平行に配設される。また、ロッド１０６は、その両端部が本体１０２及び押出部材１１０から突出した状態に設けられている。すなわち、ロッド１０６の一方側（図４の上側）の端部は本体１０２から突出され、他方側（図４の下側）の端部は、押出部材１１０から突出されている。これにより、ロッド１０６の一方側の端部と他方側の端部とにそれぞれ、異なる筒状部材（すなわちバルーン６０の端部６０Ｂ、ゴムリング６１、６２）を被せることができる。なお、本体１０２側のロッド１０６の突出量は、バルーン６０の端部６０Ｂの幅よりも長く設定することが好ましい。また、押出部材１１０側のロッド１０６の突出量は、ゴムリング６１、６２の幅を合わせた長さであることが好ましい。
【００４１】
図５、図６に示すように各ロッド１０６は、クランク機構１０８を介してリング１０４に連結されている。クランク機構１０８は、アーム１０８Ａを備え、このアーム１０８Ａの中間部がピン１０８Ｂによって本体１０２に回動自在に連結されている。アーム１０８Ａの一方の端部にはロッド１０６が連結されており、もう一方の端部にはピン１０８Ｃがリング１０４側に突出して形成されている。また、リング１０４には、ピン１０８Ｃが係合されるＵ状の溝１０４Ｃがリング１０４の内側から径方向に形成されている。したがって、リング１０４を回動させると、アーム１０８Ａがピン１０８Ｂを中心に揺動し、アーム１０８Ａの先端のロッド１０６が移動する。ロッド１０６は四本が同時に移動し、図５に示すように中央に集まった状態（すなわちロッド１０６同士の間隔が狭まった状態）と、図６に示すように外側に離れた状態（すなわちロッド１０６同士の間隔が拡がった状態）の間で移動する。なお、図６に示すようにロッド１０６が最も離れた際、ロッド１０６同士の間に二点鎖線で示す挿入部１２が挿通できるようになっている。
【００４２】
図７は図３の反対側から見た装着装置１００を示している。また、図８は、図７の矢印８方向に見た押出部材１１０の側面図であり、図９は図８の押出部材１１０を移動させた状態を示す側面図である。
【００４３】
図７に示すように、押出部材１１０は、矩形の枠状に形成されている。押出部材１１０の内側の各コーナー部には、円弧状の窪み１１０Ａがロッド１０６と同じ形状で形成されており、ロッド１０６の間隔が最も拡がった際に各窪み１１０Ａにロッド１０６が入り込むようになっている。ロッド１０６が窪み１１０Ａに入り込むことによってロッド１０６が押出部材１１０のガイドとなり、押出部材１１０を本体１０２の軸方向に平行移動させることができる。また、ロッド１０６が窪み１１０Ａに入り込むことによって、ロッド１０６によって拡径されたゴムリング６１が押出部材１１０に当接するので（図１１参照）、押出部材１１０によってゴムリング６１を押し出すことが可能となる。
【００４４】
図８、図９に示すように、押出部材１１０の両端（図の上端と下端）には、外側に突出した鍔部１１０Ｂが形成されており、鍔部１１０Ｂ同士の間に操作レバー１１２の先端１１２Ｂが差し込まれている。
【００４５】
操作レバー１１２は、図７に示すようにその先端１１２Ｂが二股に分かれており、押出部材１１０に左右両側で係合されている。また、操作レバー１１２は、図８、図９に示すように、その中間部が軸支部材１２２によって回動自在に支持されている。軸支部材１２２は、本体１０２に固定された固定板１２４に取り付けられる。したがって、操作レバー１１２のもう一方の端部を押下操作することによって、操作レバー１１２を揺動させることができ、操作レバー１１２の先端１１２Ｂに係合する押出部材１１０が、図８に示す位置（すなわち本体１０２に接触した位置）から、図９に示す位置（すなわち本体１０２から離れた位置）に移動する。なお、操作レバー１１２と固定板１２４との間にはスプリング１２６が設けられており、操作レバー１１２は図８の位置に戻す方向に付勢される。
【００４６】
次に上記の如く構成された装着装置１００の操作方法について図１０（ａ）〜図１０（ｄ）、図１１（ａ）〜図１１（ｄ）に従って説明する。図１０（ａ）〜図１０（ｄ）は、バルーン６０の取り付け手順を示しており、図１１（ａ）〜図１１（ｄ）はゴムリング６１、６２の取り付け手順を示している。
【００４７】
まず、図１０（ａ）に示すように、ロッド１０６同士の間隔を狭めた状態で、ロッド１０６の本体１０２側の端部にバルーン６０の端部６０Ｂを被せるとともに、ロッド１０６の押出部材１１０側の端部に二つのゴムリング６１、６２を被せる。
【００４８】
次に、図１０（ｂ）に示すように、ロッド１０６の間隔を拡げる。すなわち、図５に示した把手１１６、１１８を把持し、図６に示すように把手１１８を把手１１６側に移動させることによって、リング１０４を回動させる。これにより、ロッド１０６の間隔が広がり、図１０（ｂ）に示すようにバルーン６０の端部６０Ｂとゴムリング６１、６２とが拡径される。その際、把手１１６、１１８をロック部材１２０で固定しておくことによって、バルーン６０の端部６０Ｂとゴムリング６１、６２とを拡径状態に保持することができ、以下の操作を容易に行うことができる。
【００４９】
次に、内視鏡１０の挿入部１２をバルーン６０の端部６０Ｂに挿入する。その際、バルーン６０の端部６０Ｂがロッド１０６によって拡径されているので、挿入部１２を容易に挿入することができる。次いで、挿入部１２をさらに押し込むことによって、挿入部１２をバルーン６０の端部６０Ａにも挿通させる。
【００５０】
図１０（ｃ）に示すように、バルーン６０を挿入部１２の所定の取り付け位置に配置した後、バルーン６０の端部６０Ｂからロッド１０６を引き抜く。ロッド１０６を引き抜く方法は特に限定するものではないが、たとえば図１０（ｃ）に示すように、バルーン６０の端部６０Ｂを外側に丸めてロッド１０６を外した後、端部６０Ｂを元に戻すとよい。これにより、図１０（ｄ）に示すように、バルーン６０が挿入部１２の所定の位置に装着される。
【００５１】
本実施の形態では、バルーン６０の装着に続けて、ゴムリング６１、６２を装着する。まず、ロッド１０６の間隔を拡げた状態のまま、バルーン６０を装着した挿入部１２を引き戻すことによって、図１１（ａ）に示すように、バルーン６０の端部６０Ｂがゴムリング６１、６２の外側に表われた状態にする。
【００５２】
次に図１１（ｂ）に示すように、押出部材１１０を本体１０２から離れた方向（図の左方向）に移動させる。押出部材１１０の移動は、図８に示す操作レバー１１２を揺動させることによって行う。押出部材１１０が本体１０２から離れる方向に移動することによって、ゴムリング６２が押出部材１１０によって外側に押し出される。これにより、図１１（ｂ）に示すようにゴムリング６２がバルーン６０の端部６０Ｂに外嵌される。
【００５３】
次に、挿入部１２を引き戻すことによって、図１１（ｃ）に示すように、バルーン６０の端部６０Ａがゴムリング６１の外側に表われた状態にする。そして、図１１（ｄ）に示すように押出部材１１０を本体１０２から離れた方向に移動させる。押出部材１１０の移動は、操作レバー１１２をさらに揺動させることによって行う。押出部材１１０が本体１０２から離れる方向に移動することによって、ゴムリング６１が押出部材１１０によって外側に押し出される。これにより、図１１（ｄ）に示すようにゴムリング６１がバルーン６０の端部６０Ａに外嵌される。
【００５４】
以上説明したように本実施の形態によれば、リング１０４を回動させることによってロッド１０６の間隔を拡げることができ、バルーン６０の端部６０Ｂやゴムリング６１、６２を拡径させることができる。したがって、バルーン６０やゴムリング６１、６２の装着作業を容易に行うことができる。
【００５５】
また、本実施の形態によれば、バルーン６０とゴムリング６１、６２を同時に拡径させるようにしたので、バルーン６０の装着とゴムリング６１、６２の装着とを一連の作業として行うことができる。
【００５６】
なお、押出部材１１０と操作レバー１１２の構成は上述した実施形態に限定されるものではなく、たとえば図１２に示すように構成してもよい。図１２の操作レバー１３２は、球状の先端部１３２Ａを有し、この先端部１３２Ａが押出部材１３０の凹部１３０Ａに係合される。押出部材１３０にはガイド棒１３４が突設されており、このガイド棒１３４が本体１０２のガイド孔１３６に挿通される。これにより、押出部材１３０が本体１０２に対して接近または離間する方向にスライド自在に支持される。ガイド棒１３４にはストッパ１３８が設けられ、ガイド棒１３４が本体１０２から脱落しないようになっている。操作レバー１３２の中間部分は軸支部材１４０によって回動自在に支持され、軸支部材１４０は、固定板１４２を介して本体１０２に固定される。操作レバー１３２と固定板１４２との間には、スプリング１４４が設けられる。上記の如く構成された押出部材１３０は、操作レバー１３２を揺動操作することによって、押出部材１３０が本体１０２から離れる方向に移動する。これにより、ロッド１０６にかけられたゴムリング６１、６２を押出部材１３０で押し出すことができる。
【００５７】
なお、上述した実施形態は、四本のロッド１０６を設けたが、ロッド１０６の本数はこれに限定するものではなく、二本以上、好ましくは三本以上であればよい。ただし、ロッド１０６は、等しい間隔で拡がるように構成することが好ましい。
【００５８】
また、上述した実施形態は、ゴムリング６１、６２をバルーン６０の端部６０Ｂと同時に拡径して装着する例で説明したが、ゴムリング６１または６２の一方のみを拡径して装着するようにしてもよい。すなわち、押出部材１１０側のロッド１０６の端部の突出量をゴムリング６１または６２の幅としてもよい。
【００５９】
さらに、バルーン６０の端部６０Ｂのみを拡径する構成、または、ゴムリング６１、６２のみを拡径して装着する構成としてもよい。すなわち、押出部材１１０や操作レバー１１２がなく、ロッド１０６が本体１０２側にのみ突出している構成としたり、リング１０４やクランク機構１０８がなく、ロッド１０６が押出部材１１０側に突出している構成としたりしてもよい。
【００６０】
また、上述した実施形態は、バルーン６０やゴムリング６１、６２を内視鏡１０の挿入部１２に装着する例で説明したが、装着される側の医療器具は内視鏡１０に限定するものではなく、たとえば、オーバーチューブやスライディングチューブなどの挿入補助具や、超音波プローブなどの処置具であってもよい。
【００６１】
さらに、上述した実施形態は、略筒状のバルーン６０、ゴムリング６１、６２を装着する例で説明したが、装着される筒状部材はこれに限定されるものではなく、弾性変形可能な筒状部分を有するものであればよい。たとえば袋状のバルーンであっても本発明の装着装置１００を用いて装着することができる。
【図面の簡単な説明】
【００６２】
【図１】内視鏡装置のシステム構成図
【図２】内視鏡の挿入部の先端部を示す斜視図
【図３】本発明に係るバルーン装着装置を示す平面図
【図４】図３の４−４線に沿うバルーン装着装置の断面図
【図５】図３のカバーを取り外した状態を示す本体の平面図
【図６】図５のロッド同士の間隔を広げた状態を示す本体の平面図
【図７】図３の反対側からの装着装置を示す図
【図８】図７の矢印８方向からの側面図
【図９】図８の押出部材を移動させた状態を示す側面図
【図１０】バルーンの装着手順を示す説明図
【図１１】ゴムリングの装着手順を示す説明図
【図１２】図８と異なる構成の押出部材を示す側面図
【符号の説明】
【００６３】
１０…内視鏡、１２…挿入部、６０…バルーン、７０…バルーン制御装置、１００…筒状部材の装着装置、１０２…本体、１０４…リング、１０６…ロッド、１０８…リンク機構、１１０…押出部材、１１２…操作レバー、１１４…カバー、１１６…把手、１１８…把手、１２０…ロック部材、１２２…軸支部材、１２４…固定板、１２６…スプリング
【図１】
2009183603.tif 000003
【図２】
2009183603.tif 000004
【図３】
2009183603.tif 000005
【図４】
2009183603.tif 000006
【図５】
2009183603.tif 000007
【図６】
2009183603.tif 000008
【図７】
2009183603.tif 000009
【図８】
2009183603.tif 000010
【図９】
2009183603.tif 000011
【図１０】
2009183603.tif 000012
【図１１】
2009183603.tif 000013
【図１２】
2009183603.tif 000014